(57)【要約】【課題】  種々の形状をしたイヤホンを、予め用意された飾りでなく、自分の気に入った飾りで自由に装うことが可能なアクセサリ取付部品を提供する。【解決手段】  アクセサリ取付部品３は、膨出周囲覆い部３ａ、嵌合部３ｂ、丸環部３ｃ、および取付座３ｄが樹脂で一体成型されて構成さている。膨出周囲覆い部３ａをイヤホン本体１ａの膨出した背面の外周に当接させながら、嵌合部３ｂをイヤホン１のコード導出部１ｂの周りに押し付けて嵌合させることで、アクセサリ取付部品３は、膨出周囲覆い部３ａがイヤホン本体１ａの膨出した背面を覆う位置に位置決めされて、イヤホン１に着脱自在に取り付けられる。アクセサリ取付部品３の購入者は、自分の気に入った飾りを丸環部３ｃおよび取付座３ｄの少なくとも一方に取り付けることで、イヤホン１を気に入った飾りで飾ることが可能となる。【選択図】  図２
2013055487.tif 000002
【特許請求の範囲】
【請求項１】
スピーカ音が放音される先端が耳穴に嵌め込まれる形状を有し，耳穴に嵌め込まれた際に耳穴外部に露出する背面が膨出した形状を有する，前記スピーカ音を出力するスピーカを内蔵した本体、および、この本体の前記背面から延出して設けられ，前記スピーカに接続されて前記背面から引き出されるコードの引出部を覆うコード導出部を備えるイヤホンに着脱自在に取り付けられ、
前記本体の膨出した前記背面の外周に当接する膨出周囲覆い部と、弾性により拡がることで前記コード導出部の周りに嵌まって前記コード導出部に着脱自在に嵌合する嵌合部と、前記膨出周囲覆い部の外周に設けられ，貫通穴を有する丸環部と、前記嵌合部の外周に設けられ，前記嵌合部の外周をほぼ覆う平面を有する取付座とが樹脂で一体成型されて構成されるイヤホン用アクセサリ取付部品。
【発明の詳細な説明】
【技術分野】
【０００１】
本発明は、先端が耳穴に嵌め込まれるイヤホンに着脱自在に取り付けられるイヤホン用アクセサリ取付部品に関するものである。
【背景技術】
【０００２】
従来、イヤホン用の装飾品として、特許文献１に開示されたものがある。この装飾品は、基端を閉じ、他端を開口した略円筒形の止着用部材と、宝石などが台座に固着されて構成される飾り部材とからなる。装飾品のイヤホンへの装着は、止着用部材の開口をイヤホンのコード導出部の基端に被せるようにして行われる。止着用部材の開口をコード導出部の基端に被せ始めると、止着用部材の他端および開口が拡開して弾性変形し、止着用部材がコード導出部に止着された状態になると共に、止着用部材の被装用溝に、上下逆向きの落涙形の輪郭をしたコード導出部の相貫部分が挿入された状態になる。この状態から止着用部材がさらにコード導出部に挿し込まれていくと、ついには、止着用部材の基端内壁がコード導出部の基端に当接し、止着用部材が位置決めされた状態になる。これにより、装飾品がコード導出部に止着された状態になると共に、イヤホンと一体的になってファッション性が高められる。
【先行技術文献】
【特許文献】
【０００３】
【特許文献１】特開２００７−１１６５７７号公報
【発明の概要】
【発明が解決しようとする課題】
【０００４】
しかしながら、上記従来の特許文献１に開示されたイヤホン用の装飾品は、止着用部材の開口をコード導出部の肩に被せ、止着用部材の被装用溝にコード導出部の相貫部分を挿入してイヤホンに止着する構造であるため、コード導出部に肩がないイヤホンや、イヤホン本体とコード導出部との間に相貫部分に類似する結合部が存在しないイヤホンには装着することが出来ない。例えば、イヤホン本体とコード導出部との結合部が、イヤホン本体の膨出する背面を裾とし、コード導出部の肩が頂上となるような山形状のイヤホンには、止着用部材の開口をコード導出部の肩に被せて被装用溝に結合部を挿入することが出来ないため、上記従来のイヤホン用の装飾品を装着することは出来ない。
【０００５】
また、上記従来の特許文献１に開示されたイヤホン用の装飾品は、止着用部材と飾り部材とが予め一体に構成されているため、予め用意された飾り以外の、自分の気に入った飾りをイヤホンに自由に装着することが出来ない。
【課題を解決するための手段】
【０００６】
本発明はこのような課題を解決するためになされたもので、
スピーカ音が放音される先端が耳穴に嵌め込まれる形状を有し，耳穴に嵌め込まれた際に耳穴外部に露出する背面が膨出した形状を有する，スピーカ音を出力するスピーカを内蔵した本体、および、この本体の背面から延出して設けられ，スピーカに接続されて背面から引き出されるコードの引出部を覆うコード導出部を備えるイヤホンに着脱自在に取り付けられ、
本体の膨出した背面の外周に当接する膨出周囲覆い部と、弾性により拡がることでコード導出部の周りに嵌まってコード導出部に着脱自在に嵌合する嵌合部と、膨出周囲覆い部の外周に設けられ，貫通穴を有する丸環部と、嵌合部の外周に設けられ，嵌合部の外周をほぼ覆う平面を有する取付座とが樹脂で一体成型されたイヤホン用アクセサリ取付部品を構成した。
【０００７】
本構成によれば、膨出周囲覆い部をイヤホン本体の膨出した背面の外周に当接させながら、嵌合部をイヤホンのコード導出部の周りに押し付けて嵌合させることで、アクセサリ取付部品は、膨出周囲覆い部がイヤホン本体の膨出した背面を覆う位置に位置決めされて、イヤホンに着脱自在に取り付けられる。このため、イヤホン本体とコード導出部との結合部が、上下逆向きの落涙形の輪郭をした相貫部分に類似する形状であっても、また、イヤホン本体の膨出する背面を裾とし、コード導出部の肩が頂上となるような山形状のイヤホンであっても、アクセサリ取付部品をイヤホンに取り付けることが可能となる。
【０００８】
また、イヤホンに取り付けられた状態では、アクセサリ取付部品の丸環部および取付座はイヤホンの周りに露出する位置に位置する。このため、アクセサリ取付部品の購入者は、自分の気に入った飾りを丸環部および取付座の少なくとも一方に取り付けることで、イヤホンを気に入った飾りで飾ることが可能となる。この際、自分の気に入った飾りが紐状体もしくは紐状体に取り付けられたものもしくは留め具等を有するものである場合には、その紐状体や留め具等を丸環部の貫通穴に挿通することで、また、自分の気に入った飾りがまとまった形を有するものである場合には、取付座の平面に接着剤などで固着することで、アクセサリ取付部品に自分の気に入った飾りを取り付けることが出来る。
【０００９】
この結果、種々の形状をしたイヤホンを、予め用意された飾りでなく、自分の気に入った飾りで自由に装うことが可能なアクセサリ取付部品が提供され、種々の形状をしたイヤホンを所持する各人の各種の嗜好を満たすことが可能になる。また、アクセサリ取付部品に取り付けた飾りに飽きた時には、丸環部に取り付けている飾りは紐状体や留め具等を丸環部の貫通穴から取り外すことで、取付座に取り付けている飾りは取付座の平面から剥がすことで、別の新たな飾りを取り付けることが出来、イヤホンを再度別の飾りで装いし直すことが出来る。また、取付座は嵌合部の外周をほぼ覆う平面を有し、嵌合部がほぼ見えなくなるので、装飾性が高まると共に、飾りを取り付ける面積が十分に確保されるので、飾りを確実に取付座に取り付けることが可能になる。
【発明の効果】
【００１０】
本発明によれば、上記のように、種々の形状をしたイヤホンを、予め用意された飾りでなく、自分の気に入った飾りで自由に装うことが可能なアクセサリ取付部品が提供される。
【図面の簡単な説明】
【００１１】
【図１】本発明の一実施の形態によるイヤホン用アクセサリ取付部品が取り付けられるイヤホンの一例を示す図である。
【図２】一実施の形態によるイヤホン用アクセサリ取付部品を示す図である。
【図３】一実施の形態によるイヤホン用アクセサリ取付部品に取り付けられるアクセサリの一例を示す図である。
【図４】アクセサリが取り付けられた状態の一実施の形態によるイヤホン用アクセサリ取付部品を示す図である。
【図５】図４に示すイヤホン用アクセサリ取付部品が取り付けられた状態のイヤホンを示す図である。
【図６】一実施の形態の第１の変形例によるイヤホン用アクセサリ取付部品を示す図である。
【図７】一実施の形態の第２の変形例によるイヤホン用アクセサリ取付部品を示す図である。
【発明を実施するための形態】
【００１２】
次に、本発明の一実施の形態によるイヤホン用アクセサリ取付部品について、説明する。
【００１３】
図１は、本実施の形態によるイヤホン用アクセサリ取付部品が取り付けられるイヤホン１を示し、同図（ａ）はイヤホン１の背面図、同図（ｂ）はその側面からの斜視図である。
【００１４】
イヤホン１は、略お椀形状をしたイヤホン本体１ａ、および、このイヤホン本体１ａの背面から延出して設けられたコード導出部１ｂを備える。イヤホン本体１ａはその空洞内部に図示しないスピーカを内蔵しており、スピーカから出力されるスピーカ音はイヤホン本体１ａの先端にメッシュ状に設けられた放音口１ｃから放音される。イヤホン本体１ａは、その先端が人の耳穴に嵌め込まれる形状を有し、耳穴に嵌め込まれた際に耳穴外部に露出するその背面が膨出した形状を有する。また、コード導出部１ｂからはコード２が導出されている。コード２は、イヤホン本体１ａに内蔵されたスピーカに接続されており、イヤホン本体１ａの背面から引き出される引出部がコード導出部１ｂによって覆われている。
【００１５】
図２は、本実施の形態によるイヤホン用アクセサリ取付部品３を示し、同図（ａ）はアクセサリ取付部品３の正面図、同図（ｂ）は右側面図、同図（ｃ）は背面図、同図（ｄ）は平面図、同図（ｅ）は底面図である。なお、左側面図は右側面図と同じであるため、その図示は省略する。
【００１６】
アクセサリ取付部品３は、上記イヤホン１の図１（ａ）に点線で示す背面部分に、着脱自在に取り付けられる。このアクセサリ取付部品３は、膨出周囲覆い部３ａ、嵌合部３ｂ、丸環部３ｃ、および取付座３ｄが樹脂で一体成型されて構成さている。アクセサリ取付部品３を構成する樹脂には、ポリ塩化ビニル（ＰＣＶ）系プラスチックなどの弾性を有する素材が用いられる。膨出周囲覆い部３ａは、イヤホン本体１ａの膨出した背面の外周に内周面３ａ１が当接するおたま状の形状を有し、アクセサリ取付部品３がイヤホン１に取り付けられることでイヤホン本体１ａの膨出した背面の一部を覆う。嵌合部３ｂは、円筒の側部が円筒軸方向に一部切り欠かれた形状を有し、この切り欠かれた箇所の一対の端部３ｂ１が樹脂素材の弾性により拡がることで、イヤホン１の円柱状をしたコード導出部１ｂの周りに嵌まってコード導出部１ｂに着脱自在に嵌合する。丸環部３ｃは、膨出周囲覆い部３ａの外周に設けられ、アクセサリの紐状体が後述するように挿通される貫通穴３ｃ１を有する。取付座３ｄは、直径１５[ｍｍ]で厚さ１．２[ｍｍ]程度の円板形状をしており、嵌合部３ｂの背面外周に設けられる。取付座３ｄは、嵌合部３ｂの外周をほぼ覆う円形状の平面３ｄ１を有し、この平面３ｄ１にはアクセサリが後述するように取り付けられる。
【００１７】
図３は、本実施の形態によるイヤホン用アクセサリ取付部品３に取り付けられるアクセサリの一例を示し、同図（ａ）は造花パーツ４の平面図、同図（ｂ）はチェーン付きカットガラス５の斜視図、同図（ｃ）はストラップ付きファー玉６の斜視図である。
【００１８】
造花パーツ４はまとまった形を有してその底面に取付面が設けられており、図４に示すようにアクセサリ取付部品３の取付座３ｄに取り付けられる。同図（ａ）は造花パーツ４が取り付けられたアクセサリ取付部品３の側面図、同図（ｂ）はその背面図である。なお、同図において図２と同一部分には同一符号を付してその説明は省略する。造花パーツ４はその底面の取付面に接着剤などが塗布されて、同図に示すように取付座３ｄの平面３ｄ１に固着される。
【００１９】
チェーン付きカットガラス５は、カットガラス５ａにチェーン５ｂが取り付けられて構成され、チェーン５ｂの端部には留め金具５ｃが設けられている。このチェーン付きカットガラス５は、留め金具５ｃが丸環部３ｃの貫通穴３ｃ１に挿通されることで、アクセサリ取付部品３に取り付けられる。また、ストラップ付きファー玉６は、ファー玉６ａに紐状のストラップ６ｂが取り付けられて構成されている。このストラップ付きファー玉６は、ストラップ６ｂが丸環部３ｃの貫通穴３ｃ１に挿通されることで、アクセサリ取付部品３に取り付けられる。
【００２０】
図５は、図４に示すアクセサリ取付部品３が取り付けられたイヤホン１を示し、同図（ａ）はその背面図、同図（ｂ）はその側面図である。なお、同図において図１および図４と同一部分には同一符号を付してその説明は省略する。
【００２１】
このような本実施の形態によるアクセサリ取付部品３によれば、膨出周囲覆い部３ａをイヤホン本体１ａの膨出した背面の外周に当接させながら、嵌合部３ｂをイヤホン１のコード導出部１ｂの周りに押し付けて嵌合させることで、アクセサリ取付部品３は、図５に示すように、膨出周囲覆い部３ａがイヤホン本体１ａの膨出した背面を覆う位置に位置決めされて、イヤホン１に着脱自在に取り付けられる。このため、イヤホン本体１ａとコード導出部１ｂとの結合部が、従来のように、上下逆向きの落涙形の輪郭をした相貫部分に類似する形状であっても、また、本実施の形態のように、イヤホン本体１ａの膨出する背面を裾とし、コード導出部１ｂの肩が頂上となるような山形状のイヤホン１であっても、アクセサリ取付部品３をイヤホン１に取り付けることが可能となる。
【００２２】
また、イヤホン１に取り付けられた状態では、アクセサリ取付部品３の丸環部３ｃおよび取付座３ｄはイヤホン１の周りに露出する位置に位置する。このため、アクセサリ取付部品３の購入者は、自分の気に入った飾りを丸環部３ｃおよび取付座３ｄの少なくとも一方に取り付けることで、例えば、図４に示すように自分の気に入った造花パーツ４を取付座３に取り付けることで、イヤホン１を例えば図５に示すように気に入った飾りで飾ることが可能となり、イヤホン１があたかもピアスのようなアクセサリになる。
【００２３】
この結果、本実施の形態によれば、種々の形状をしたイヤホンを、予め用意された飾りでなく、自分の気に入った飾りで自由に装うことが可能なアクセサリ取付部品３が提供され、種々の形状をしたイヤホンを所持する各人の各種の嗜好を満たすことが可能になる。また、アクセサリ取付部品３に取り付けた飾りに飽きた時には、丸環部３ｃに取り付けているチェーン付きカットガラス５やストラップ付きファー玉６等の飾りは留め金具５ｃやストラップ６ｂ等を丸環部３ｃの貫通穴３ｃ１から取り外すことで、取付座３ｄに取り付けている造花パーツ４等の飾りは取付座３ｄの平面３ｄ１から剥がすことで、別の新たな飾りを取り付けることが出来、イヤホン１を再度別の飾りで装いし直すことが出来る。また、取付座３ｄは嵌合部３ｂの外周をほぼ覆う平面３ｄ１を有し、嵌合部３ｂがほぼ見えなくなるので、装飾性が高まると共に、飾りを取り付ける面積が十分に確保されるので、飾りを確実に取付座３ｄに取り付けることが可能になる。
【００２４】
なお、上記の実施の形態では、アクセサリ取付部品３の取付座３ｄが円板形状をしていた場合について説明した。しかし、アクセサリ取付部品３は、円板形状の取付座３ｄに代えて、図６に示すような矩形板状をした取付座３ｅ、図７に示すような台形板状をした取付座３ｆを備えるようにしてもよい。なお、図６および図７において図２と同一部分には同一符号を付してその説明は省略する。これらの場合、取付座３ｄの円形状平面３ｄ１に代えて、図６に示す取付座３ｅの矩形状平面３ｅ１や、図７に示す取付座３ｆの台形状平面３ｆ１に飾りが取り付けられることで、上記の実施形態と同様な作用効果が奏される。
【産業上の利用可能性】
【００２５】
本実施の形態によるアクセサリ取付部品３は、右耳用イヤホン１および左耳用イヤホン１の双方に取り付けてもよいし、一方のイヤホン１にのみ取り付けてもよい。また、右耳用イヤホン１および左耳用イヤホン１の双方に取り付ける場合、各イヤホン１を異なる飾りで装うことも可能である。また、アクセサリ取付部品３の丸環部３ｃと取付座３ｄとの双方に同時に飾りを付けることも可能である。このような各使い方によっても上述した実施の形態と同様な作用効果が奏される。
【符号の説明】
【００２６】
１…イヤホン
１ａ…イヤホン本体
１ｂ…コード導出部
１ｃ…放音口
２…コード
３…イヤホン用アクセサリ取付部品
３ａ…膨出周囲覆い部
３ａ１…内周面
３ｂ…嵌合部
３ｂ１…端部
３ｃ…丸環部
３ｃ１…貫通穴
３ｄ，３ｅ，３ｆ…取付座
３ｄ１，３ｅ１，３ｆ１…平面
４…造花パーツ
５…チェーン付きカットガラス
６…ストラップ付きファー玉
【図１】
2013055487.tif 000003
【図２】
2013055487.tif 000004
【図３】
2013055487.tif 000005
【図４】
2013055487.tif 000006
【図５】
2013055487.tif 000007
【図６】
2013055487.tif 000008
【図７】
2013055487.tif 000009